【手続補正書】
【提出日】平成20年11月5日(2008.11.5)
【手続補正１】
【補正対象書類名】特許請求の範囲
【補正対象項目名】全文
【補正方法】変更
【補正の内容】
【特許請求の範囲】
【請求項１】
大便と分離された小便を処理する尿処理装置であって、
全長又は／及び全幅を調節可能であり、且つ防水機能を有する上面側開放の容器内に、保水性を有する素材からなる一種又は複数種の保水材と、太陽熱を蓄熱可能な素材からなる蓄熱材と、消臭効果を有する素材からなる一種又は複数種の消臭材とが敷設されてなることを特徴とする尿処理装置。
【請求項２】
前記保水材と、蓄熱材と、消臭材とが層状を成すように敷設されていることを特徴とする請求項１に記載の尿処理装置。
【請求項３】
最下層に消臭材、中間層に保水材、最上層に蓄熱材を敷設していることを特徴とする請求項３に記載の尿処理装置。
【請求項４】
前記保水材が木炭又は／及び土、蓄熱材が砂利又は／及び砂、消臭材がおが屑又は／及び木炭であることを特徴とする請求項１乃至請求項３いずれか１項に記載の尿処理装置。
【請求項５】
小便器の排水管の下流側を容器上に沿わせるとともに、最上層の素材で埋設していることを特徴とする請求項１乃至請求項４いずれか１項に記載の尿処理装置。
【請求項６】
前記最上層と対面する前記排水管の周面に多数の下向の排水孔を開孔していることを特徴とする請求項５に記載の尿処理装置。
【請求項７】
太陽光発電又は／及び風力発電により生じる電力で発熱するシーズヒーターが敷設されていることを特徴とする請求項１乃至請求項６いずれか１項に記載の尿処理装置。
【手続補正２】
【補正対象書類名】明細書
【補正対象項目名】０００５
【補正方法】変更
【補正の内容】
【０００５】
前記課題を解決するために本発明は、下記の技術的手段を採用した。
その第１発明は、大便と分離された小便を処理する尿処理装置であって、全長又は／及び全幅を調節可能であり、且つ防水機能を有する上面側開放の容器内に、保水性を有する素材からなる一種又は複数種の保水材と、太陽熱を蓄熱可能な素材からなる蓄熱材と、消臭効果を有する素材からなる一種又は複数種の消臭材とが敷設されてなることを特徴とする尿処理装置にしたことである。
大便と小便の分離は、例えば、大便器と小便器とに分け、当該小便器と尿処理装置とに亘って排水管を配管することにより、小便を尿処理装置に案内することができる。
又、設置現場の状況に応じて容器の大きさを大小調節することができる。
【手続補正３】
【補正対象書類名】明細書
【補正対象項目名】０００６
【補正方法】変更
【補正の内容】
【０００６】
前記保水材、蓄熱材、消臭材の敷設形態は任意であるが、第２発明のように、前記保水材と、蓄熱材と、消臭材とを層状を成すように敷設することが好ましく、より好ましくは、第３発明のように、最下層に消臭材、中間層に保水材、最上層に蓄熱材を敷設することである。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
又、小便器と尿処理装置とを排水管で配管する場合、その排水管を視覚できないようにする観点から、第５発明では、小便器の排水管の下流側を容器上に沿わせるとともに、最上層の素材で埋設する手段を採用した。
この場合、排水管から排水される小便を、尿処理装置の広い範囲で排水するという観点から第６発明では、前記最上層と対面する前記排水管の周面に多数の下向の排水孔を開孔した。
【手続補正６】
【補正対象書類名】明細書
【補正対象項目名】００１０
【補正方法】変更
【補正の内容】
【００１０】
又、例えば、気温が低い時期や太陽光が期待できない時間等においても熱によって小便を蒸発させるという観点から、第７発明では、太陽光発電又は／及び風力発電により生じる電力で発熱するシーズヒーターを敷設した。
【手続補正７】
【補正対象書類名】明細書
【補正対象項目名】００１１
【補正方法】変更
【補正の内容】
【００１１】
本発明の尿処理装置は、以上の構成により以下の優れた効果が期待できる。
第１発明によれば、尿処理装置に至る小便は、保水材に吸収されるとともに、太陽熱が蓄熱された蓄熱材の熱により保水材に吸収された小便の水分が蒸発し、且つ蒸発時に生じるアンモニア臭を消臭材が消臭する。
したがって、加温手段を使用すること無く、有機廃棄物処理装置内の水分を減少させるために、大便と分離された小便を処理する尿処理装置を提供できる。
又、設置現場の状況に応じて容器の大きさを大小調節することができる。
【手続補正８】
【補正対象書類名】明細書
【補正対象項目名】００１２
【補正方法】変更
【補正の内容】
【００１２】
又、第２発明によれば、前記保水材と、蓄熱材と、消臭材とを層状を成すように敷設することにより、保水層・蓄熱層・消臭層として区切られるため、尿処理装置全体でむら無く、小便の保水・蒸発・消臭を行うことができる。
更に、第３発明によれば、最下層に消臭材、中間層に保水材、最上層に蓄熱材を敷設することにより、太陽熱が蓄熱層に直接作用するのでその熱が効率的に蓄熱され、その熱は、蓄熱層の直下の層である保水層に作用し、保水層で保水された小便を蒸発させ、更に、当該保水層の直下の層である消臭層で保水層のアンモニア臭を消臭することができる。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
又、第５発明によれば、小便器と尿処理装置とを配管する排水管を隠すことができ、更に、第６発明によれば、排水管から排水される小便を、尿処理装置の広い範囲で排水することができる。
【手続補正１１】
【補正対象書類名】明細書
【補正対象項目名】００１６
【補正方法】変更
【補正の内容】
【００１６】
そして、第７発明によれば、太陽光発電又は／及び風力発電により生じる電力で発熱するシーズヒーターにより、気温が低い時期や太陽光が期待できない時間等においても熱によって小便を蒸発させることができる。
【手続補正１２】
【補正対象書類名】明細書
【補正対象項目名】００１８
【補正方法】変更
【補正の内容】
【００１８】
容器２は、ステンレス材等の錆に強い素材を用いて上面側を開放した略箱状に形成されていて、更に、当該容器２は、長手方向に２分割され、一方の容器部材２１が他方の容器部材２２に重合状に、且つ長手方向に沿ってスライド可能に嵌合してなる。
前記容器部材２１，２２は、長手方向で対面する側部が開放され、三方のみに側壁を有してなるものであって、この容器部材２１をその開放部２１Ａ側から容器部材２２に対してその開放部２２Ａへ挿入することによって、長手方向に沿ってスライド可能な容器２を構成している。
【手続補正１３】
【補正対象書類名】明細書
【補正対象項目名】００２３
【補正方法】変更
【補正の内容】
【００２３】
又、尿処理装置１は、地面Ｇに載置してもよく、この場合、例えば、保水層４を構成する土層４１の量を増量して土層４の厚みを厚くし、植物を植えて花壇として利用することによって、地面Ｇに載置した設置形態でも一見して尿処理装置１を認識されないようにカムフラージュすることができる。(図示せず)
この場合、前記容器１の外側面に、模様や着色を施すことによって、尿処理装置１のカムフラージュをより一層確実なものとすることができる。